(57)【要約】      （修正有）【課題】需要に応じて面積の大きさと配列図案を変更できる組立式スケートボード及びスノーボードの滑り止め体を提供する。【解決手段】組立式スケートボード及びスノーボードの滑り止めは主に、最低一つの第一滑り止め体１及び最低一つの第二滑り止め体２により構成され、前記第一滑り止め体、第二滑り止め体は底面に予め設けた粘着部をスケートボード表面に結合し、且つ第一滑り止め体、第二滑り止め体の周囲にそれぞれ内側方向に凹む複数の第一結合凹部１１、第二結合凹部２１及び外側方向に突出した複数の第一結合凸部１２、第二結合凸部２２を設け、該第二結合凹部は該第一結合凸部と同じ大きさ及び形状とし、第二結合凸部は第一結合凹部と同じ大きさ及び形状とし、第一結合凹部、第一結合凸部とそれに対応する第二結合凸部、第二結合凹部を相互に嵌合し異なる第一滑り止め体１、第二滑り止め体２を結合させて、組立後の面積大きさ及び形状変化を達成する。【選択図】図１
0003150200.tif 000002
【実用新案登録請求の範囲】
【請求項１】
スケート・スノーボードの表面に結合可能な底面を備え、周囲には内側方向に凹んだ最低一つの第一結合凹部と外側方向に突出する最低一つの第一結合凸部を設ける最低一つの第一滑り止め体と、
スケート・スノーボードの表面に結合可能な底面を備え、周囲には内側方向に凹んだ最低一つの第二結合凹部と外側方向に突出した最低一つの第二結合凸部を設ける最低一つの第二滑り止め体と、により構成され、
前記第二結合凹部は第一結合凸部と同じ大きさ及び形状とし、前記第二結合凸部は第一結合凹部と同じ大きさ及び形状とし、第一結合凹部と第一結合凸部とそれに対応する第二結合凸部、第二結合凹部を嵌合して第一滑り止め体、第二滑り止め体を結合させることを特徴とする、組立式スケートボード及びスノーボードの滑り止め。
【請求項２】
前記各第一結合凸部、第二結合凸部は最低一上方にそれぞれ側面突出体を設け、各側面突出体がそれに対応する各第一結合凸部、第二結合凸部を完全被覆することを特徴とする、請求項１に記載の組立式スケートボード及びスノーボードの滑り止め。
【請求項３】
前記第一滑り止め体、第二滑り止め体は最低一底面にそれぞれ粘性のある粘着部を備えることを特徴とする、請求項１又は請求項２に記載の組立式スケートボード及びスノーボードの滑り止め。
【請求項４】
前記複数の第一結合凸部及び第一結合凹部は第一滑り止め体の周囲に等間隔に配置し間を空けて挿入設置することを特徴とする、請求項１乃至請求項３のいずれか１項に記載の組立式スケートボード及びスノーボードの滑り止め。
【請求項５】
前記複数の第二結合凸部及び第二結合凹部は第二滑り止め体の周囲に等間隔に配置し間を空けて挿入設置することを特徴とする、請求項１乃至請求項４のいずれか１項に記載の組立式スケートボード及びスノーボードの滑り止め。
【考案の詳細な説明】
【技術分野】
【０００１】
本考案は組立式スケートボード及びスノーボードの滑り止めに係り、特に需要に応じて面積の大きさと配列図案を変更できる滑り止め構造に関するものである。
【背景技術】
【０００２】
伝統的なスケートボードやスノーボード構造の多くは木板やガラスファイバーにより作製され、且つ製品の質感及び使用安全性の要求に応じて表面を平滑に加工している為、自然状態においてスケートボードと使用者の靴底には充分に操作コントロールする摩擦力を生じさせられず、よって一般に、スケートボードの足踏み箇所表面には粘着及び螺合で滑り止めが設置されている。また、スノーボードは二つの靴の固定台間に滑り止めが設けられ、滑り止めは大きな摩擦係数を有する滑り防止材質（例えばプラスチックやゴム）により作製する為、良好な滑り防止効果を持ち、使用者の靴底との間に大きな摩擦力を生じさせて操作コントロール効果を高める。
【０００３】
便利性及びコストを基本に考えると、前述の公知の滑り止めの開発は、固定した形状と面積の大きさにより高生産効率及び低生産コストの要求を満たし、製品の競争力を高めることができる。
【考案の概要】
【考案が解決しようとする課題】
【０００４】
しかし使用者は異なる身体と操作能力を持ち、必要とされる滑り止めの大きさ（足の平の大きさに依る）及び位置（背の高さ、足の長さに依る）も異なり、前述の固定した大きさ及び形状の滑り止めは只単に特定標準型の身体の使用者について設計されたものであり、しかも異なる要望に基づく適当な調整は行えず、よって、知らぬ間に非標準型の身体の使用者によるスケートボード運動参加の権利をひどく制限し、スケートボード及びスノーボード運動の進歩を妨害し、これが応用上の欠点となっている。更に、固定して変化不可能な滑り止めの形状はスケートボード及びスノーボードの全体デザインの変化を制限しており、その全体の製品競争力に間接的に影響を与えている。
【０００５】
公知のスケートボードの滑り止めには前述の応用制限があり、本考案者はこれらの欠点に対し研究開発を進め、終に本考案を生み出した。
【０００６】
そこで、本考案の主な目的は、異なる要望に基づき分布面積を変更可能で、異なる使用者の滑り防止要求に適用する組立式スケートボード及びスノーボードの滑り止めを提供することにある。
【０００７】
また、本考案のもう一つの目的は、個人の希望に応じて組立図案を変更でき、外観デザインの個人特色及び視覚的美感を備える組立式スケートボード及びスノーボードの滑り止めを提供することにある。
【課題を解決するための手段】
【０００８】
上記課題を解決するために、本考案の採用する技術手段は、最低一つの第一滑り止め体及び最低一つの第二滑り止め体を備え、前記第一滑り止め体はスケートボード表面に結合可能な底面を備え、第一滑り止め体周囲には内側方向に凹んだ最低一つの第一結合凹部と外側方向に突出する最低一つの第一結合凸部を設ける。前記第二滑り止め体はスケートボード表面に結合可能な底面を備え、第二滑り止め体周囲には内側方向に凹んだ最低一つの第二結合凹部と外側方向に突出した最低一つの第二結合凸部を設ける。並びに第二結合凹部は第一結合凸部と同じ大きさ及び形状とし、第二結合凸部は第一結合凹部と同じ大きさ及び形状とし、第一結合凹部及び第一結合凸部とそれに対応する第二結合凸部及び第二結合凹部を嵌合して、第一滑り止め体、第二滑り止め体を結合させる。
【０００９】
本考案の詳細構造、応用原理、作用、効果は下記の図面を組み合わせた説明により完全に理解することができる。
【考案の効果】
【００１０】
本考案は、異なる要望に基づき分布面積を変更可能で、異なる使用者の滑り防止要求に適用可能であり、並びに個人の希望に応じて組立図案を変更でき、外観デザインの個人特色及び視覚的美感を備えるという効果を奏する。
【図面の簡単な説明】
【００１１】
【図１】本考案の構造分解図である。
【図２】本考案の組立上面図である。
【図３】本考案の組立下面図である。
【図４】本考案の一実施例の説明図である。
【図５】本考案の別の実施例の説明図である。
【考案を実施するための形態】
【００１２】
各図に示す通り本考案は主に、第一滑り止め体１及び第二滑り止め体２の二部分により構成される。前記第一滑り止め体１は底面１４を備え、底面１４上には粘性のある粘着部１４１を備える。第一滑り止め体１上部面には滑り止め突出体１３（或いはその他摩擦を増加させる表面線）を均等に配置する。また、第一滑り止め体１周囲には複数の内側方向に凹む第一結合凹部１１及び複数の外側方向に突出する第一結合凸部１２を設け、各第一結合凸部１２及び第一結合凹部１１は等間隔に配置し間を空けて挿入設置し、且つ各第一結合凸部１２上方には側面突出体１２１を別に設け、それぞれに対応する第一結合凸部１２を完全に被覆する。第二滑り止め体２は底面２４を備え、底面２４上には粘性のある粘着部２４１を備える。第二滑り止め体２上部面には滑り止め突出体２３（或いはその他摩擦を増加させる表面線）を均等に配置する。また、第二滑り止め体２周囲には複数の内側方向に凹む第二結合凹部２１及び複数の外側方向に突出する第二結合凸部２２を設け、第二結合凹部２１は第一結合凸部１２と同じ大きさ及び形状とし、第二結合凸部２２は第一結合凹部１１と同じ大きさ及び形状とし、各第二結合凸部２２及び第二結合凹部２１は等間隔に配置し間を空けて挿入設置し、また、各第二結合凸部２２の上方は別に側面突出体２２１を設けて対応する各第二結合凸部２２を完全に被覆する。
【００１３】
組立てる場合、異なる第一滑り止め体１、第二滑り止め体２の第一結合凸部１２を第二結合凹部２１内に嵌入するか、第二結合凸部２２を第一結合凹部１１内に嵌入することにより、第一滑り止め体１、第二滑り止め体２を相互結合する。並びに、側面突出体１２１、２２１で結合部位を被覆することにより、その外観の美観を高める。図２、図３において、第一滑り止め体１の面積は第二滑り止め体２より小さくない（大きいか等しい）という前題の下、前記の組立方式を使って複数の第二滑り止め体２を第一滑り止め体１周囲に結合し、並びに粘着部１４１、粘着部２４１によってスケートボード３の上面部表面に粘着結合してスケートボード３と滑り止めの装着作業を終了する（図４参照）。もし面積の大きい滑り止めを希望する場合は、前記図４の構造における第二滑り止め体２に別に第一滑り止め体１（もしくは第二滑り止め体２）を組み合わせて結合し、更に第一滑り止め体１周囲に結合する第二滑り止め体２の数量を変更することにより面積の大きさ及び形状に変化をつける（図５参照）。  
【００１４】
本考案の上述構造を実際に応用する場合、第二滑り止め体２を中心として複数の第一滑り止め体１を第二滑り止め体２の周囲に結合することにより同じ使用形態及び変化を達成する。
【００１５】
前述した通り、本考案の組立式スケートボード及びスノーボードの滑り止めは、需要に応じて大きさと形状を変化させられる効果を確実に有しており、産業上の利用性、新規性及び進歩性を確かに備えたものである。
【００１６】
前述は本考案の一実施例に過ぎず、本考案の実施範囲を制限するものではない。即ち本考案の実用新案登録請求の範囲に基づいて為された同等価値の変化と修飾は全て本考案の実用新案登録請求の範囲に含まれるものとする。
【符号の説明】
【００１７】
１                第一滑り止め体
１１              第一結合凹部
１２              第一結合凸部
１２１、２２１    側面突出体
１３、２３        滑り止め突出体
１４、２４        底面
１４１、２４１    粘着部
２                第二滑り止め体
２１              第二結合凹部
２２              第二結合凸部
３                スケートボード
【図１】
0003150200.tif 000003
【図２】
0003150200.tif 000004
【図３】
0003150200.tif 000005
【図４】
0003150200.tif 000006
【図５】
0003150200.tif 000007